(57)【要約】      （修正有）【課題】斬新な画像の拡大表現と交換機能の留め金具を有するループタイで、着装の使途目的により種々最適の画像を表現すべく速やかなる画像交換ができるループタイを提供する。【解決手段】凸レンズ２本体と枠体によって一体型成された留め金具付本体１の背板に設置された写真等の円型の画像板の脱着を随時簡易な交換で成し、使途目的対象の画像を速やかに表現するものであり、かつロープ５の色合いまたロープ先具６とのコンビネーションにより更なる使途目的をより細やかに満足させるものと成る。さらに留め金具付本体１の背板を取外せばルーペとして利用可能なものとなる。【選択図】図１
0003165988.tif 000002
【実用新案登録請求の範囲】
【請求項１】
ループタイにロープ（５）を装着させる留め金具（４）にプラスティックの枠体（１ｄ）である留め金具付本体（１）を装着し、その枠体の中央を正円型にくり貫きその内側に円型の画像板（９）である板状物の裏面に円形マグネットシール（１１）の接着を成し鉄板製の背板（７）と合着させ、その背板（７）を留め金具付本体（１）の枠体（１ｄ）内側の下段溝切り部（１ｃ）を構築してはめ込ませ、この背板（７）の回転により必要な画像交換を自在に簡易な脱着操作で満たしてくれるものであり、また凸レンズ（２）の構成により画像を拡大鮮明に表現することを特徴とする画像の拡大表現及び交換機能の留め金具（４）を有するループタイ。
【請求項２】
上記請求項１による留め金具付本体（１）の背板（７）を取り外せば、上部を構成する６図である帽子状の凸レンズ付型状本体はルーペとした機能も成す事を特徴とする画像の拡大表現及び交換機能の留め金具（４）を有するループタイ。
【考案の詳細な説明】
【技術分野】
【０００１】  本考案のループタイは留め金具付本体（１）の背板（７）に円型の画像板（９）の挿入部を設置し、使途目的に最適である画像の利用を簡易な脱着操作で使途の拡大を図ったものである。さらに留め金具付本体（１）は凸レンズ（２）構成による３Ｄ調の新感覚な画像の表現構成をなす。【０００２】  また留め金具付本体（１）の背板（７）を簡易な脱着操作で取り外し、ルーペとしての機能を可能にした画像の拡大表現と交換機能の留め金具を有するループタイに関するものである。
【背景技術】
【０００３】  ループタイは本来留め金具付本体（１）が高価格の象嵌、七宝、陶器等の伝統工芸品に偏りがあり、大衆一般人への意匠面を初めとした柔軟なファッション性に欠け生活の中に入り込めない難点がある。ゆえに現在使用者の大半を男性老人が占めている現状である。然るに細かい最適の使途目的による意匠の選択性に欠け、不満足でも以前使用したものを常時使用している様子が伺える。
【考案が解決しょうとする課題】
【０００４】  そこでこの考案は、上述する従来のループタイに見られる問題点を解消するべく、まずこれまでネクタイ嫌いな人のループタイへの意識改革による需要拡大と、男女共有は元より小型化して和装に於いて例えば留め金具本体（１）構成の羽織紐への代用、和洋装のアクセサリーとオールマイティの着装に利用を成せるものである。
【０００５】  本来ループタイはクールビズを中心に季節感に左右されるものであるが、この留め金具付本体（１）は基本型材の凸レンズ（２）による光ときらり効果の斬新なファッション性と３Ｄによる拡大画像表現、さらに豊富な画像種類による表現の多様さでもって、たとえば家紋の挿入によればホーマル系の行事用はもとより、カジュアルの行事には趣味と洒落にと共にオールシーズンの使用可能なものとなってくる。然るに着装分野に使途目的にマッチングした表現を可能し、且つ、これらの装着操作の簡略化を進めた画像の拡大表現と交換機能の留め金具を有するループタイを提供しようとするものである。
【課題を解決するための手段】
【０００６】  ループタイにロープ（５）を装着させる留め金具（４）にプラスティックの枠体（１ｄ）である留め金具付本体（１）を装着し、その枠体の中央を正円型にくり貫きその内側に円型の画像板（９）である板状物の裏面に円形マグネットシール（１１）の接着を成し鉄板製の背板（７）と合着させ、その背板（７）を留め金具付本体（１）の枠内側の下段溝切り部（１ｃ）を構築しはめ込ませ、この背板（７）の回転により必要な画像交換を自在に簡易な脱着操作で満たしてくれるものとなる。また凸レンズ（２）の構成により画像を拡大鮮明に表現させる。
【０００７】  請求項１による留め金具付本体（１）の背板（７）を取り外せば、上部を構成する７図である帽子状凸レンズ型状本体はルーペとした機能も成す事を特徴とするループタイとなる。
【考案の効果】
【０００８】  以上の構成による画像の拡大表現と交換機能の留め金具を有するループタイによれば、請求項１に記載の如く古い定型物様のループタイより脱却した今までに無いレンズ効果による光とキラリ効果の斬新な表現を提供し、また最適の使途条件にマッチした画像表現を身近に表現できることにより満足感を得るものになっている。また請求項２記載の如く簡易の操作にてルーペに変換され、老人や目の不自由な人には朗報である。本来ループタイは洋装主体であるがこの斬新さは季節を問わず和洋、男女共用となり今後トータルファッションの一助となり得るものである。
【考案を実施するための型態】
【０００９】  本考案品の留め金具付本体（１）の画像は使途の多い物をあらかじめ光沢写真用紙にプリントして於いて（織物生地、染織生地は裏打ちをして使用）利用するものであるが、順序として使用期間及び使用頻度を考慮してまず必須画像を最優先して、例えば個人使用には家紋、家族写真、飼い犬等。販売目的としては社章、校章、国地方自治体の公章、神社、仏閣等の要望で作成し、あとは趣味的なもの等その時の使途必要に応じて画像の挿入を成すものである。
【００１０】  例えば会社に就業中は社章で、帰りはくだけた画像に変更する如き周りの環境に応じ随時変化表現を可能とするものである。さらに弔の行事には家紋入りで黒のロープに銀色のロープ先部（６）、慶の行事には白のロープに金色のロープ先部（６）等のロープの色との的確なコンビネーション効果を発揮するものである。
【実施例】
【００１１】  以下添付図面に従って実施例を説明する。先ず図１は本考案の実施例を示す正面図である。平面に意匠的な変化をもたらすため装飾用リング（３）が作られており、また背板（７）に円形の画像板（９）その他の板状物を設置した場合、万一背板（７）とのズレの発生による型状の乱れによる異状を隠すべく、留め金具付本体（１）枠内側の上段部（１ａ）（０．７ミリ）を構築さしている。【００１２】  図２であるが、背板（７）を装着済みの図示であって背板の爪部（８）は回転によって内部に隠れて見えない状態になっている。【００１３】  ３図はロープ付側面図であって、枠体（１ｄ）に円型の透明の凸レンズ（２）を重ね接着しその円型物本体の型材を好みの型状に切削したものである、例えば六角型の本体にすれば図３の如くの型成物となる。【００１４】  次ぎに図４であるが留め金具付本体（１）の内側の枠体（１ｄ）と背板（７）及び付属物の装着状態の断面図であって、先ず円型（内径２４ミリ）の画像板（９）の裏面中心部に直径１０ミリの円形マグネットシール（１１）の接着を成し、これを固定リング（外径２０ミリの中に円形でくり貫き内径１０ミリ）（１０）にはめ込み安定させて、図５の背板爪部（８）を図６の背板の爪挿入部位（１２）に重ね合わせる状態で収納装着するものである。【００１５】  円形の画像板（９）の固定リング（１０）への装着は画像の上方向（例えば人は頭部、建物は屋根上方向）を確認して、ロープ（５）の上方向であるループ状態部分に向かって平行して装着を行えば、背板（７）は図６の背板挿入部位（１２）の４個のうちどこへでも任意の挿入可能であり、画像は常時上方向の映像表示となり収納完了となる。【００１６】  背板の爪挿入部位（１２）へ収納完了後は背板の爪挿入部位（１２）を中心にして左右どちらかに５〜１０ミリ移動すればやや挟小感があり、これにて完全なる定着の完了を成すものである。【００１７】  なお背板（７）の脱着方法はロープ留め金具（４）を中心にロープ（５）を輪状に包み込むように摘み、左右いずれかに廻し背板の爪挿入部位（１２）に戻し脱着操作をするものである。
【産業上の利用可能性】
【００１８】  本考案の製品は上述の如くであるが、さらにネクタイ業界、アクセサリー関連の装飾業者、会社関係、神社仏閣、観光物産店等のコラボレーションを惹起させる物となる。
【図面の簡単な説明】
【００１９】
【図１】本考案の実施例を示す正面図である。
【図２】図５の背板装着後の背面図である。
【図３】ロープ装着状態の側面図である。
【図４】留め金具付本体枠内側の段部と背板及び画像板の装着状態の断面図である。
【図５】背板にロープ留め金具及び爪部を構築した裏面図である。
【図６】図５の背板装着前の構成を示す裏面図である。
【図７】帽子状凸レンズ型状本体
【符号の説明】
【００２０】  １  留め金具付本体
１ａ留め金具付本体枠内側の上段部
１ｂ留め金具付本体枠内側の中段部
１ｃ留め金具付本体枠内側の下段溝切り部
１ｄ枠体
２  凸レンズ
３  装飾用リング
４  留め金具
５  ロープ
６  ロープ先具
７  背板
８  背板の爪部
９  円型の画像版
１０  固定リング
１１  円型マグネットシール
１２  背板の爪挿入部位
【図１】
0003165988.tif 000003
【図２】
0003165988.tif 000004
【図３】
0003165988.tif 000005
【図４】
0003165988.tif 000006
【図５】
0003165988.tif 000007
【図６】
0003165988.tif 000008
【図７】
0003165988.tif 000009
【手続補正書】
【提出日】平成22年11月11日(2010.11.11)
【手続補正１】
【補正対象書類名】実用新案登録請求の範囲
【補正対象項目名】全文
【補正方法】変更
【補正の内容】
【実用新案登録請求の範囲】
【請求項１】
多角形の凸レンズ（２）の湾曲のない裏面の下部周縁に枠体（１ａ）を設けて本体（１）と成し、この枠体（１ａ）の内側は浅い円筒状のくり貫きがあって空間部（１３）を形成しており枠体（１ａ）の空間側の周縁にわたり、溝（１ｂ）が掘られていて、その溝には枠体（１ａ）の下面に達する鉄製の円盤状背板（７）の爪部（８）の挿入部位（１２）が数箇所に設けられており、一方上記円筒状空間（１３）の直径とほぼ同一寸法の鉄製の円形状背板（７）を用意し、この背板（７）の周縁に上記爪挿入部位（１２）の数と同数の爪部（８）が突出しており、この背板（７）の裏面にはループタイのロープ（５）を装着させる留め金具（４）が取り付けられていて、又表面には固定リング（１０）が設けられており、さらに上記円筒状空間（１３）の直径よりも直径の小さな円形の画像板（９）を準備し、且つ画像を示した側の反対側には上記固定リング（１０）にはまり込む寸法の円板状マグネット（１１）が付けられていて、この固定リング（１０）とマグネット（１１）を利用して上記背板（７）に円形の画像板（９）をはめ込み、次ぎに爪部（８）を本体（１）の枠体（１ａ）にある爪挿入部位（１２）にはめて少し回転して溝（１ｂ）に爪部（８）をとどめてはめ込み、最後に留め金具（４）にループタイ用のロープ（５）を通して得られることを特徴とするループタイ。
【手続補正２】
【補正対象書類名】明細書
【補正対象項目名】全文
【補正方法】変更
【補正の内容】
【考案の詳細な説明】
【技術分野】
【０００１】  本考案のループタイは凸レンズと枠体と接着咲いた本体（１）の鉄製の円型上背板（７）に円型の画像板（９）の挿入部を設置し、使途目的に最適である画像の利用を簡易な脱着操作で使途の拡大を図ったものである。さらに本体（１）は多角形の凸レンズ（２）構成による拡大された新感覚な画像の表現構成をなす。【０００２】  また本体（１）の背板（７）を簡易な脱着操作で取り外し、ルーペとしての機能を可能にした画像の拡大表現と交換機能の留め金具を有するループタイに関するものである。
【背景技術】
【０００３】  ループタイは本来留め金具付の本体（１）が高価格の象嵌、七宝、陶器等の伝統工芸品に偏りがあり、大衆一般人への意匠面を初めとした柔軟なファッション性に欠け生活の中に入り込めない難点がある。ゆえに現在使用者の大半を男性老人が占めている現状である。然るに細かい最適の使途目的による意匠の選択性に欠け、不満足でも以前使用したものを常時使用している様子が伺える。
【考案が解決しょうとする課題】
【０００４】  そこでこの考案は、上述する従来のループタイに見られる問題点を解消するべく、まずこれまでネクタイ嫌いな人のループタイへの意識改革による需要拡大と、男女共有は元より小型化して和装に於いて例えば留め金具付の本体（１）構成の羽織紐への代用、和洋装のアクセサリーとオールマイティの着装に利用を成せるものである。
【０００５】  本来ループタイはクールビズを中心に季節感に左右されるものであるが、この留め金具付の本体（１）は多角形の凸レンズ（２）による光ときらり効果の斬新なファッション性と拡大画像表現、さらに豊富な画像種類による表現の多様さでもって、たとえば家紋の挿入によれば慶弔のホーマル系の行事用はもとより、カジュアルの行事には趣味と洒落にと共にオールシーズンの使用可能なものとなってくる。然るに着装分野に使途目的にマッチングした表現を可能し、且つ、これらの装着操作の簡略化を進めた画像の拡大表現と交換機能の留め金具を有するループタイを提供しようとするものである。
【課題を解決するための手段】
【０００６】本考案のループタイは、多角形の凸レンズ（２）の湾曲のない裏面の下部周縁に枠体（１ａ）を設けて本体（１）と成し、この枠体（１ａ）の内側は浅い円筒状のくり貫きがあって空間部（１３）を形成しており枠体（１ａ）の空間側の周縁にわたり、溝（１ｂ）（上下巾１ミリ）が掘られていて、その溝には枠体（１ａ）の下面に達する鉄製の円盤状背板（７）（直径２６ミリ厚み１ミリの爪部（８）の挿入部位（１２）が数箇所に設けられており、一方上記円筒状空間（１３）の直径とほぼ同一寸法の鉄製の円形状背板（７）を用意し、この背板（７）の周縁に上記爪挿入部位（１２）の数と同数の爪部（８）（１．５ミリ）が突出しており、この背板（７）の裏面にはループタイのロープ（５）を装着させる留め金具（４）が取り付けられていて、又表面には固定リング（１０）（厚み１ミリ内径１０ミリ外径１６．５ミリ）が設けられており、さらに上記円筒状空間（１３）の直径よりも直径の小さな円形の画像板（９）（２４ミリ）を準備し、且つ画像を示した側の反対側には上記固定リング（１０）にはまり込む寸法の円板状マグネット（１１）（直径１０ミリ厚み１ミリ）が付けられていて、この固定リング（１０）とマグネット（１１）を利用して上記背板（７）に円形の画像板（９）をはめ込み、次ぎに爪部（８）を本体（１）の枠体（１ａ）にある爪挿入部位（１２）にはめて少し回転して溝（１ｂ）に爪部（８）をとどめてはめ込み、最後に留め金具（４）にループタイ用のロープ（５）を通して得られることを特徴とする。
【０００７】  請求項１による留め金具付の本体（１）の背板（７）を取り外せば、上部を構成する多角形の凸レンズ型状の本体（１）はルーペとした機能も成す事を特徴とするループタイとなる。
【考案の効果】
【０００８】  以上の構成による画像の拡大表現と交換機能の留め金具を有するループタイによれば、請求項１に記載の如く古い定型物様のループタイより脱却した今までに無いレンズ効果による光とキラリ効果の斬新な表現を提供し、また最適の使途条件にマッチした画像表現を身近に表現できることにより満足感を得るものになっている。また本体（１）が簡易の操作にてルーペに変換され、老人や目の不自由な人には朗報である。特に画像の家紋使用による洋装における弔事用は男女共用となり期待の持てるものになり得るものである。
【考案を実施するための型態】
【０００９】  本考案品の留め金具付の本体（１）の画像は使途の多い物をあらかじめ光沢写真用紙にプリントして於いて（織物生地、染織生地は裏打ちをして使用）利用するものであるが、順序として使用期間及び使用頻度を考慮してまず必須画の像を最優先して、例えば個人使用には家紋、家族写真、飼い犬猫等であり販売目的としては社章、校章、公章、神社、仏閣等の要望で作成し、あとは趣味的なもの等その時の使途必要に応じて画像の挿入を成すものである。
【００１０】  例えば会社に就業中は社章で、帰りはくだけた画像に変更する如き周りの環境に応じ随時変化表現を可能とするものである。さらに弔事の行事には家紋入りで黒のロープに銀色のロープ先具（６）、慶の行事には白のロープに金色のロープ先部（６）等のロープの色との的確なコンビネーション効果を発揮するものである。
【実施例】
【００１１】  以下添付図面に従って実施例を説明する。先ず図１の１−１の多角形凸レンズ（２）と枠体（１ａ）を接着さした本体（１）の斜視側面図であり、これに１−２である円形の画像板（９）の裏面には円形状マグネット（直径１０ミリ）が貼付してありこれを１−３である背板（７）の固定リング（１０）に向かって装着さし、さらに１−１の本体（１）爪挿入部位（１２）に背板（７）の爪挿入部位（１２）に向かってはめ込み、左右いずれか回転させてループタイとして完成されるものである。【００１２】背板（７）の爪部（８）４個の内どれか１個を微小に左右いずれかに曲げ背板（７）を本体（１）の溝（１ｂ）に挿入し、回転した時に安定した狭少感を持たせている。【００１３】２図は正面図であるが装飾用リング（３）が作られており、また背板（７）に円形の画像板（９）（直径２４ミリ）を設置した場合、たまたまこの画像板（９）の形状作成の乱れによる異形を隠すべく、留め金具付の本体（１）の枠体（１ａ）中央円筒状の最上段部の枠体（１ａ）に厚み０・５ミリで１．５ミリ内径を狭くするべく画像補正用枠体（１ｃ）として２３．５ミリと構築した。【００１４】  円形の画像板（９）の固定リング（１０）への装着は画像の上方向（例えば人は頭部、建物は屋根上方向）を確認して、ロープ（５）の上方向であるループ状態部分に向かって平行して装着を行えば、背板挿入部位（１２）の４個のうちどこへでも任意の挿入可能となり、画像は常時上方向の映像表示となる収納となる。【００１５】  なお背板（７）の脱着方法はロープ留め金具（４）を初期出発点にもどすか、左右いずれかに廻し任意の背板の爪挿入部位（１２）に合わせ脱着操作をするものである。
【産業上の利用可能性】
【００１６】  本考案の製品は上述の如くであるが、さらにネクタイ業界、アクセサリー関連の装飾業者、会社関係、神社仏閣、観光物産店等のコラボレーションを惹起させる物となる。
【図面の簡単な説明】
【００１７】
【図１】本考案の実施例を組み立てる部品毎に示した説明図。
【図２】本考案の実施例を示す正面図である。
【符号の説明】
【００１８】  １  凸レンズと枠体と接着さした本体  １ａ枠体  １ｂ溝  １ｃ画像補正用枠体  ２  多角形の凸レンズ  ３  装飾用リング  ４  留め金具  ５  ロープ  ６  ロープ先具  ７  鉄製の円型状背板  ８  背板の爪部  ９  円形の画像板１０  固定リング１１  円板形マグネット１２  爪挿入部位１３  円筒状空間部
【手続補正３】
【補正対象書類名】図面
【補正対象項目名】全図
【補正方法】変更
【補正の内容】
【図１】
0003165988.tif 000010
【図２】
0003165988.tif 000011